(57)【要約】      （修正有）【課題】薬剤を放出する際に、放出されずにタンク内に残る薬剤の量を減らすことができる消火剤・延焼防止剤タンクを提供する。【解決手段】タンク部２と、タンク部２内部に貯蔵され、消火剤及び／又は延焼防止剤として使用される薬剤３と、薬剤３をタンク部２外部に放出する放出部４と、タンク部２内部に高さ方向に延設され、薬剤３を放出部に誘導する誘導部と、タンク部２内部を加圧状態にする加圧手段とを備える消火剤・延焼防止剤タンク１において、薬剤３は、粘性を高める添加剤が添加されたものであり、また、タンク部２内部の壁面２ｃ及び／又は底面２ｄに接するように設けられる回転体７’を更に備えることを特徴とする。【選択図】図１
2019017682.tif 000002
【特許請求の範囲】
【請求項１】
タンク部と、前記タンク部内部に貯蔵され、消火剤及び／又は延焼防止剤として使用される薬剤と、前記薬剤を前記タンク部外部に放出する放出部と、前記タンク部内部に高さ方向に延設され、前記薬剤を前記放出部に誘導する誘導部と、前記タンク部内部を加圧状態にする加圧手段とを備える消火剤・延焼防止剤タンクにおいて、
前記薬剤は、粘性を高める添加剤が添加されたものであり、
また、前記タンク部内部の壁面及び／又は底面に接するように設けられる回転部材を更に備えることを特徴とする消火剤・延焼防止剤タンク。
【請求項２】
前記回転部材は、前記誘導部を中心として回転するものであることを特徴とする請求項１に記載の消火剤・延焼防止剤タンク。
【請求項３】
前記回転部材を回転させる駆動手段を更に備え、前記駆動手段は、前記タンク部外部に露出する操作部を有し、その操作部を操作することにより前記回転部材を回転させることを特徴とする請求項１又は２に記載の消火剤・延焼防止剤タンク。
【請求項４】
前記タンク部内部の底面には、前記誘導部の下端部に対応する位置に凹部が設けられ、前記誘導部の下端部は、その凹部内に位置することを特徴とする請求項１乃至３のいずれか１項に記載の消火剤・延焼防止剤タンク。
【発明の詳細な説明】
【技術分野】
【０００１】
この発明は、消火剤または延焼防止剤として用いられる薬剤を貯蔵し、その薬剤を圧力ガスにより外部に放出する消火剤・延焼防止剤タンク（単に「消火剤タンク」とも称される。）に関する。
【背景技術】
【０００２】
水により火災の消火をする際、通常、水を火源とその周囲に散布することにより、火災の抑制・消火をすると共に、火源周囲への延焼の防止もしている。しかしながら、水の場合、消火対象物に散布しても、重力により下方にすぐに流れてしまい、その上に留まるのは僅かな量でしかないため、十分に延焼防止の効果を得るためには散布を継続する必要がある。
【０００３】
水に粘性を高める添加剤を添加して高粘度にした薬剤を消火剤及び延焼防止剤として使用することにより、消火対象物上に留まる量を多くすることができる。例えば、特開２０１１−１６７３５７号公報（特許文献１）に開示の技術が提案しているような水にゲル化剤を添加して調整したものを使用することにより、消火対象物上に留まる量を多くすることができる。
【０００４】
水に粘性を高める添加剤を添加して高粘度にした薬剤を消火剤及び延焼防止剤として使用する場合、その薬剤を消火剤・延焼防止剤タンクに貯蔵して使用することになる。消火剤・延焼防止剤タンクは、圧力ガスを圧力源としており、その圧力方式には蓄圧式と加圧式とがあるが、いずれにおいても、圧力ガスによりタンク内部の圧力を高め、それにより薬剤を押圧して外部に放出することができるようになっている。
【０００５】
なお、本件特許出願人は、先に、特開２０１５−１０９９４１号公報（特許文献２）に開示の技術として、消火剤の液面上に載置されて設けられる浮き蓋を備える消火剤タンクを提案している。
【先行技術文献】
【特許文献】
【０００６】
【特許文献１】特開２０１１−１６７３５７号公報
【特許文献２】特開２０１５−１０９９４１号公報
【発明の概要】
【発明が解決しようとする課題】
【０００７】
しかしながら、そのような高粘度にした薬剤を貯蔵した消火剤・延焼防止剤タンクの場合、薬剤が高粘度であるため、その放出に際し、タンク内の壁面や底面に付着して、放出されずにタンク内に残ってしまうものが多く発生し、最後まで効率的に薬剤を放出することができないという問題がある。
【０００８】
この発明は、上記の事情に鑑み、薬剤を放出する際に、放出されずにタンク内に残る薬剤の量を減らすことができる消火剤・延焼防止剤タンクを提供することを目的とする。
【課題を解決するための手段】
【０００９】
この発明は、タンク部と、前記タンク部内部に貯蔵され、消火剤及び／又は延焼防止剤として使用される薬剤と、前記薬剤を前記タンク部外部に放出する放出部と、前記タンク部内部に高さ方向に延設され、前記薬剤を前記放出部に誘導する誘導部と、前記タンク部内部を加圧状態にする加圧手段とを備える消火剤・延焼防止剤タンクにおいて、前記薬剤は、粘性を高める添加剤が添加されたものであり、また、前記タンク部内部の壁面及び／又は底面に接するように設けられる回転部材を更に備えることを特徴とする消火剤・延焼防止剤タンクである。
【００１０】
また、この発明は、前記回転部材は、前記誘導部を中心として回転するものであることを特徴とする消火剤・延焼防止剤タンクである。
【００１１】
また、この発明は、前記回転部材を回転させる駆動手段を更に備え、前記駆動手段は、前記タンク部外部に露出する操作部を有し、その操作部を操作することにより前記回転部材を回転させることを特徴とする消火剤・延焼防止剤タンクである。
【００１２】
また、この発明は、前記タンク部内部の底面には、前記誘導部の下端部に対応する位置に凹部が設けられ、前記誘導部の下端部は、その凹部内に位置することを特徴とする消火剤・延焼防止剤タンクである。
【発明の効果】
【００１３】
この発明においては、タンク部内部の壁面及び／又は底面に接するように設けられた回転部材を備えるものとしていることで、薬剤を放出する際に、その回転部材を回転させることにより、タンク部内部の壁面や底面に付着している薬剤を掻き取ることができる。
【００１４】
したがって、この発明によれば、薬剤を放出する際に、放出されずにタンク部内に残る薬剤の量を減らすことができる。
【図面の簡単な説明】
【００１５】
【図１】この発明の消火剤・延焼防止剤タンクの実施形態の一例を示したものであり、（ａ）が全体の縦断面図であり、（ｂ）が（ａ）のＡ−Ａ線横断面図である。
【図２】同上の消火剤・延焼防止剤タンクの実施形態の他の例を示したものであり、（ａ）が全体の縦断面図であり、（ｂ）が（ａ）のＢ−Ｂ線横断面図である。
【発明を実施するための形態】
【００１６】
この発明の消火剤・延焼防止剤タンクの実施形態について、その圧力方式を蓄圧式とするものを例に図１及び図２に基づいて説明する。なお、この発明の消火剤・延焼防止剤タンクは、後記で説明する通り、その圧力方式を加圧式とするものにも適用することができる。
【００１７】
図１に示したように、消火剤・延焼防止剤タンク１は、タンク部２と、タンク部２内部に貯蔵され、粘性を高める添加剤が添加されて、消火剤及び／又は延焼防止剤として使用される薬剤３と、薬剤３をタンク部２外部に放出する放出部４と、タンク部２内部に高さ方向に延設されて、タンク部２内部に貯蔵される薬剤３を放出部４に誘導する誘導部の一例であるサイホン管５を備えている。また、圧力方式が蓄圧式である本実施形態の場合、タンク部２内部を圧力ガスにより高める加圧手段として、圧力ガス（加圧された窒素ガス等）をタンク部２内部に導入するガス導入管６を更に備えている。
【００１８】
なお、本実施形態の場合、具体的には、放出部４は、タンク部２の上部開口２ａを閉鎖する蓋部２ｂの上方に設けられており、薬剤３を放出する放出ノズル４ａと、その放出ノズル４ａとサイホン管５とを連通する連通部４ｂを有している（この放出部４は、弁部と、その弁部を開閉操作するための操作部をさらに有するが、それらの図示は省略している。）。また、サイホン管５は、タンク部２と略同一の高さを有し、上端部が蓋部２ｂを貫通してその上方に位置すると共に、下端部がタンク部２内部の底面２ｄ近傍に位置する配置で設けられており、上端部には、連通部４ｂと接続される流出口５ａが設けられていると共に、下端部には、薬剤３をサイホン管５内に導入する流入口５ｂが設けられている。さらに、サイホン管５の流出口５ａが設けられている上端部側は、サイホン管５を回転可能にする回転管継手９を介して連通部４ｂに接続されている。すなわち、サイホン管５は回転管継手９を介して回転可能に放出部４に接続されている。サイホン管５は、本実施形態の場合、後記で説明するように、中心軸回りに回転する構造になっているが、回転管継手９を介して回転可能に放出部４に接続されていることにより、サイホン管５と共に放出部４が回転するのを防ぐことができるようになっている。
【００１９】
そして、消火剤・延焼防止剤タンク１において、タンク部２内部には、壁面２ｃ及び／又は底面２ｄに接するように設けられた回転部材の一例として、本実施形態の場合、サイホン管５に固定されて、サイホン管５と共にその中心軸回りに回転し、タンク部２の高さ方向に垂直に延在して、壁面２ｃに接触する側端部７ｂ’を有する回転体７’が設けられている。
【００２０】
この消火剤・延焼防止剤タンク１によれば、薬剤３をタンク部２外部に放出する際、適当なタイミング（例えば、薬剤３が減少し、その液面が流入口５ｂよりも下方まで下がり、放出される薬剤３にガスが混入するようになった時等）で回転体７’を回転させることにより、壁面２ｃに付着する薬剤３を側端部７ｂ’により掻き取ることができる。それにより、放出されずにタンク部２の内部に残る薬剤３の量を減らすことができる。
【００２１】
ここで、回転体７’は、タンク部２の半径方向（サイホン管５を中心とする半径方向）に延在して、底面２ｄに対向する下端部７ｃ’を有している。本実施形態の場合、その下端部７ｃ’を底面２ｄに接触しないものとしているが、底面２ｄに接触するものとして、側端部７ｂ’により壁面２ｃに付着する薬剤３を掻き取ることができるのに加えて或いはそれに代えて、下端部７ｃ’により底面２ｄに付着する薬剤３を掻き取ることができるようにしてもよい。
【００２２】
また、回転体７’は、本実施形態の場合、側端部７ｂ’を壁面２ｃに実際に接触するものとしているが、壁面２ｃに付着する薬剤３を掻き取ることができる程度に近接するものとしてもよく、実際に接触するものとしなくてもよい。下端部７ｃ’により底面２ｄに付着する薬剤３を掻き取ることができるようにする場合も同様であり、そのようにすることができる程度に下端部７ｃ’を底面２ｄに近接するものとしてもよく、実際に接触するものとしなくてもよい。つまり、この発明において、壁面２ｃ及び／又は底面２ｄに接するように設けられた回転部材は、その一例である回転体７’（後記で説明する回転体７’’においても同様）に関し、ここで説明した通り、壁面２ｃ及び／又は底面２ｄに実際に接触するものとして設けられたものだけでなく、それらに付着する薬剤３を掻き取ることができる程度に近接するものとして設けられたものも含んでいる。
【００２３】
さらに、本実施形態の消火剤・延焼防止剤タンク１について、構成部分ごとにより詳細に説明する。
【００２４】
［薬剤］
薬剤３としては、水に粘性を高める添加剤を添加して高粘度に調整したものを使用することができる。添加剤としては、高分子吸水ポリマー等のゲル化剤を含む一般的な添加剤を使用することができるし、薬剤３にチキソトロピー性（掻き混ぜたり、振り混ぜたりすることによりゲルが流動性のゾルに変わる性質）をもたらすコロイド性含水ケイ酸塩を含む鉱物（例えば、スメクタイトやベントナイト等）やそのケイ酸塩からなる化合物を含む添加剤も使用することができる。
【００２５】
［圧力ガス］
蓄圧式である本実施形態の場合、タンク部２内部にガス導入管６を介して圧力ガスが充填されている。薬剤３をタンク部２外部に放出する際、この圧力ガスは、薬剤３をその上方の空間から下方に押圧し、サイホン管５下端部の流入口５ｂからサイホン管５内部に薬剤３を流入させて、上端部の流出口５ａから連通部４ｂに流出させ、放出ノズル４ａを介して外部に放出させる圧力源として機能する。
【００２６】
［回転体］
回転体７’は、合成樹脂材料により形成されたものとすることができる。その形状は、本実施形態の場合、矩形の枠状の形状を有するものとしている。平板状の形状を有するものとしてもよいが、枠状の形状を有するものとすることにより、軽量化することができ、容易に回転するようにすることができる。また、タンク部の内部にサイホン管５を間に周方向に１８０度の角度間隔を置いた配置（径方向対称位置に並ぶ配置）で２つ設けられている。１つとしてもよいが、２つとすることにより、１回転あたりの掻き取ることのできる薬剤３の量を増やすことができる。
【００２７】
なお、回転体７’において、薬剤３の掻き取り手段として機能する側端部７ｂ’及び／又は下端部７ｃ’の形状や素材についてであるが、薬剤３を掻き取り易い一方、壁面２ｃ及び／又は底面２ｄには傷を付け難いものであるのが好ましく、例えば、ゴムやシリコンによって板状又は刷毛状に形成された掻き取り手段とすることができる。
【００２８】
［駆動機構］
消火剤・延焼防止剤タンク１は、回転体７’を回転させる駆動手段として、駆動機構８を備えている。駆動機構８は、動力の伝達部として、蓋部２ｂを貫通してタンク部２の高さ方向に延設され、下端側がタンク部２の内部に位置する駆動シャフト８ａと、駆動シャフト８ａの下端側に固定して設けられ、縦方向軸回り（駆動シャフト８ａの中心軸回り）に回転する駆動ギヤ（平歯車）８ｂと、サイホン管５の周囲に固定して設けられ、駆動ギヤ８ｂと噛み合いつつ、縦方向軸回り（サイホン管５の中心軸回り）に回転する従動ギヤ（平歯車）８ｃを有すると共に、手動の駆動部として、タンク部２の外部に位置する駆動シャフト８ａの上端側に固定して設けられ、駆動シャフト８ａを中心軸回りに回転させるように操作されるハンドル８ｄを有する。この駆動機構８を備えていることにより、手動でハンドル８ｄを回転させれば、駆動シャフト８ａ、駆動ギヤ８ｂ及び従動ギヤ８ｃを介して回転力を伝達し、サイホン管５を回転させて、それと共に回転体７’を回転させることができる。
【００２９】
［液溜まり］
本実施形態において、タンク部２の底面２ｄには、サイホン管５の下端部に設けられている流入口５ｂに対応する位置（底面２ｄの中央位置）に薬剤３の液だまりとなる凹部２ｅが設けられており、サイホン管５の流入口５ｂは、その凹部２ｅ内に位置している。
【００３０】
この凹部２ｅが設けられていることにより、薬剤３をタンク部２外部に放出する際、底面２ｄ上に残る薬剤３を凹部２ｅ内に集めることができ、その集めた薬剤３を凹部２ｅ内に位置する流入口５ｂからサイホン管５内に流入させることができる。それにより、放出されずにタンク部２の内部に残る薬剤３の量を更に減らすことができる。
【００３１】
以上、この発明の実施形態の一例について説明したが、この発明は上記の例に限定されるものではなく、種々の変更が可能である。
【００３２】
例えば、回転体７’は、壁面２ｃ及び／又は底面２ｄに付着する薬剤３を回転に伴って掻き取ることのできる部分を有するものであれば、その全体形状や数、複数とする場合の配置等については、適宜変更することは可能である。
【００３３】
具体的には、例えば、上記の例の場合、回転体７’は全体の形状を枠状としているが、それを板状としてもよい。また、タンク部２の高さ方向に垂直に設けられるものとしているが、タンク部２の高さ方向に螺旋状に傾斜して設けられるものとしてもよい。
【００３４】
図２に示した消火剤・延焼防止剤タンク１における回転体７’’は、その変更例の一例を示したものである。同図に示したように、回転体７’’は、回転体７’と同様、サイホン管５に固定されて、サイホン管５と共にその中心軸回りに回転するものであると共に、サイホン管５を間に径方向対称位置に２つ設けられるものであるが、各々の全体形状を板状のものとしており、また、各々が、タンク部２の高さ方向に対し、上端部７ａ’’から下端部７ｃ’’にかけて螺旋状に９０度捩じれる傾斜角で傾斜して設けられ、その傾斜角で壁面に接する側端部７ｂ’’を有するものとしている。なお、図２に示した消火剤・延焼防止剤タンク１において、回転体７’’以外の構成部分は、図１に示したものと同一である。
【００３５】
さらに、回転体７’又は回転体７’’を回転駆動する駆動機構８については、弾性体の弾性エネルギーにより回転駆動するものとしてもよい。具体的には、図示は省略するが、例えば、ぜんまいばねを動力源とするぜんまい機構部をタンク部２の外部に位置する駆動シャフト８ａの上端側に連結して設け、ぜんまいばねを巻き上げることにより蓄積される弾性エネルギーにより駆動シャフト８ａを回転駆動し、それにより回転体７’又は回転体７’’を回転駆動するものとしてもよい。ぜんまい機構部は、ぜんまいばねに蓄積される弾性エネルギーを発動させるための操作部や、ぜんまいばねを巻き上げて弾性エネルギーを蓄積するための操作部を有するものとすることができる。すなわち、それら操作部をタンク部２外部に露出して有するものとすることができる。なお、この駆動機構８については、モータにより回転駆動するものとしてもよいが、弾性体の弾性エネルギーにより回転駆動するものとすることにより、電力を不要にすることができる。
【００３６】
また、回転体７’又は回転体７’’は、上記の例においては、従動ギヤ８ｃと共にサイホン管５に固定して設けられるものとしているが、回転体７’又は回転体７’’と従動ギヤ８ｃとを固定し、それらをサイホン管５に対し、位置自体は固定して設けられるものとする必要はあるが、サイホン管５回りに回転可能に設けられるものとしてもよい。そのようにすることにより、回転体７’又は回転体７’’を駆動機構８により回転させることができつつ、サイホン管５は回転しないものとすることができ、サイホン管５と共に放出部４が回転するのを防ぐために設けられている前記の回転管継手９をなくすことができる。
【００３７】
さらに、圧力方式は、蓄圧式に代えて加圧式とすることができる。その場合、ガス導入管６の外部に露出する側の端部に開閉機構を介して圧力ガスを封入した加圧用ガスボンベを接続して設け、加圧用ガスボンベをタンク部２外部に設けるようにしてもよいし、ガス導入管６を設けるのに代えて、加圧手段である加圧用ガスボンベをその放出部を含めてタンク部２内部に設けるようにしてもよい。
【符号の説明】
【００３８】
１  消火剤・延焼防止剤タンク、２  タンク部、２ａ  上部開口、２ｂ  蓋部、２ｃ  壁面、２ｄ  底面、２ｅ  凹部、３  薬剤、４  放出部、４ａ  放出ノズル、４ｂ  連通部、５  サイホン管、５ａ  流出口、５ｂ  流入口、６  ガス導入管、７’  回転体、７ｂ’  側端部、７ｃ’  下端部、７’’  回転体、７ａ’’  上端部、７ｂ’’  側端部、７ｃ’’  下端部、８  駆動機構、８ａ  駆動シャフト、８ｂ  駆動ギヤ、８ｃ  従動ギヤ、８ｄ  ハンドル、９  回転管継手
【図１】
2019017682.tif 000003
【図２】
2019017682.tif 000004